(57)【要約】【課題】充填用開口をヒートシール可能な範囲を広く設定でき、充填時にチャックに付着し難い内容物によっては、より簡単な構造とすることのできるチャック付き自立袋を提供する。【解決手段】一対の側面シート２，３のチャック６よりも上方の袋開口側端部に１０ｍｍ以上の段差を設け、短尺側の側面シート２の上端側に袋上下方向に５ｍｍ以上の長さ寸法を有する摘み片２ａを形成し、側面シート２，３の開口部側にイージーピールテープ５を介装する。チャック６より上部側で、且つ、摘み片２ａより下部側に、短尺側の側面シート２とイージーピールテープ５とを接合する袋上下方向に５ｍｍ以上の長さ寸法を有する易剥離接合部７と、摘み片２ａより上部側の長尺側の側面シート３とイージーピールテープ５とを接合する難剥離接合部１０とを有すると共に、摘み片２ａの上端に、袋内側に突出する玉縁２ｂを非接着性の合成樹脂で形成する。【選択図】図１
2010274933.tif 000002
【特許請求の範囲】
【請求項１】
表面側を非接着層、裏面側を熱接着層とした複合フィルムで形成した一対の側面シートと、該一対の側面シート間に配置したチャックとを備えたチャック付き自立袋において、前記一対の側面シートの前記チャックよりも上方の袋開口側端部に段差を設け、短尺側の側面シートの上端側に摘み片を形成し、前記一対の側面シートの開口部側に、一側面側にイージーピール層を、他側面側に熱接着層とをそれぞれ備えたイージーピールテープを介装し、前記チャックより上部側で、且つ、前記摘み片より下部側に、前記短尺側の側面シートの熱接着層と前記イージーピールテープのイージーピール層とを接合する易剥離接合部と、前記摘み片より上部側の前記イージーピールテープの熱接着層と長尺側の側面シートの熱接着層とを接合する難剥離接合部とを有すると共に、前記摘み片の上端に、袋内側に突出する玉縁を非接着性もしくは難接着性の合成樹脂で形成し、前記易剥離接合部によって前記短尺側の側面シートとイージーピールテープとを接合した状態で、前記難剥離接合部による接合前のイージーピールテープと長尺側の側面シートとの間に充填用開口部が形成され、袋内に内容物を充填した後に前記イージーピールテープと長尺側の側面シートとを難剥離接合部によって接合して前記充填用開口部を密封した状態で、イージーピールテープと短尺側の側面シートとを接合した前記易剥離接合部が剥離することによって取出用開口部が形成され、易剥離接合部の剥離後は、前記チャックにより前記取出用開口部が開閉可能に密封されることを特徴とするチャック付き自立袋。
【請求項２】
前記一対の側面シートの袋開口側端部の段差が１０ｍｍ以上、前記摘み片の袋上下方向の長さ寸法が５ｍｍ以上、前記易剥離接合部の袋上下方向の長さ寸法が５ｍｍ以上であることを特徴とする請求項１記載のチャック付き自立袋。
【請求項３】
前記イージーピールテープは、前記摘み片よりも上部のイージーピール層の外面に非接着層を設けたことを特徴とする請求項１又は２記載のチャック付き自立袋。
【請求項４】
前記非接着層の下部を、前記イージーピール層の外面と非接着状態で延出し、前記摘み片の外側を覆うカバー片を形成したことを特徴とする請求項３記載のチャック付き自立袋。
【発明の詳細な説明】
【技術分野】
【０００１】
本発明は、チャック付き自立袋に関する。
【背景技術】
【０００２】
従来、チャック付き自立袋として、図８及び図９に示すように、一対の側面シート３１，３２の間に仕切りシート３３を介装し、該仕切りシート３３と一方の側面シート３１との間にチャック３４と易剥離接合部３５，３５とを形成し、他方の側面シート３２と仕切りシート３３間に設けられた充填用開口３６から内容物を充填した後、仕切りシート３３の上端と他方の側面シート３２の上端とを難剥離接合するものがあった（例えば、特許文献１参照。）。
【０００３】
また、一側面にイージーピール層を備え他側面に熱接着層を備えたイージーピールテープを袋の開口部に介装し、袋の開口性の向上と袋内部からの剥離の防止を図ったものがあった（例えば、特許文献２参照。）。
【０００４】
さらに、上述のようなイージーピールテープを用いた袋として、例えば、図１０に示すように、一対の側面シート４１，４２の一方の側面シート４１にイージーピールテープ４３のイージーピール層４３ｂを易剥離接合し、他方の側面シート４２にイージーピールテープ４３の熱接着層４３ａを難剥離接合させるものがあった。
【先行技術文献】
【特許文献】
【０００５】
【特許文献１】特許第３０２０８３４号公報
【特許文献２】特開２００８−４４６７１号公報
【発明の概要】
【発明が解決しようとする課題】
【０００６】
チャック付き自立袋は、一般に、袋の製造メーカーが、袋内に内容物を充填する前の状態、即ち、充填用開口を封止していない状態で、袋を内容物の製造メーカーに卸し、内容物の製造メーカーで内容物を充填した後に充填用開口をヒートシールしている。このため、袋の製造メーカーは、充填用開口をヒートシールできる範囲をある程度広く設定し、内容物の製造メーカーで使用する異なる種類の自動充填機に対応できるようにしている。
【０００７】
特許文献１のものでは、図８及び図９に示すように、内容物の製造メーカーで、袋の上部に設けられた充填用開口３６から内容物３７を充填した後、充填用開口３６をヒートシールすることができるが、充填用開口３６をヒートシールする位置は、他方の側面シート３２と仕切りシート３３の開口側先端部に限られていた。また、消費者がこの袋を開封する際に、チャックよりも上方、例えば、図９に示す切断線Ｃ１を誤って鋏等で切断してしまうと、充填用開口３６が開いてしまい内容物３７を袋内に保持できなくなる虞があった。さらに、携帯時に他方の側面シート３２と仕切りシート３３との間に形成される空間部３８に内容物が入り込むと、チャック開閉時のフィーリングが悪くなることがあった。
【０００８】
また、上述の図１０に示される袋では、難剥離接合する位置に、ある程度の精度が必要となることから、袋の製造メーカーでイージーピールテープ４３を前記一対の側面シート４１，４２に易剥離接合及び難剥離接合させた状態で、袋を内容物の製造メーカーに卸し、内容物の製造メーカーでは、袋の底部側から内容物を充填した後、底部をヒートシールしていた。このため、このようなタイプの袋を、底部に特殊な形状を備えた自立袋に適用することは難しかった。
【０００９】
そこで本発明は、難剥離接合する充填用開口をヒートシール可能な範囲を広く設定でき、充填時にチャックに付着し難い内容物によっては、より簡単な構造とすることのできるチャック付き自立袋を提供することを目的としている。
【課題を解決するための手段】
【００１０】
上記目的を達成するため、本発明のチャック付き自立袋は、表面側を非接着層、裏面側を熱接着層とした複合フィルムで形成した一対の側面シートと、該一対の側面シート間に配置したチャックとを備えたチャック付き自立袋において、前記一対の側面シートの前記チャックよりも上方の袋開口側端部に段差を設け、短尺側の側面シートの上端側に摘み片を形成し、前記一対の側面シートの開口部側に、一側面側にイージーピール層を、他側面側に熱接着層とをそれぞれ備えたイージーピールテープを介装し、前記チャックより上部側で、且つ、前記摘み片より下部側に、前記短尺側の側面シートの熱接着層と前記イージーピールテープのイージーピール層とを接合する易剥離接合部と、前記摘み片より上部側の前記イージーピールテープの熱接着層と長尺側の側面シートの熱接着層とを接合する難剥離接合部とを有すると共に、前記摘み片の上端に、袋内側に突出する玉縁を非接着性もしくは難接着性の合成樹脂で形成し、前記易剥離接合部によって前記短尺側の側面シートとイージーピールテープとを接合した状態で、前記難剥離接合部による接合前のイージーピールテープと長尺側の側面シートとの間に充填用開口部が形成され、袋内に内容物を充填した後に前記イージーピールテープと長尺側の側面シートとを難剥離接合部によって接合して前記充填用開口部を密封した状態で、イージーピールテープと短尺側の側面シートとを接合した前記易剥離接合部が剥離することによって取出用開口部が形成され、易剥離接合部の剥離後は、前記チャックにより前記取出用開口部が開閉可能に密封されることを特徴としている。
【００１１】
また、前記一対の側面シートの袋開口側端部の段差が１０ｍｍ以上、前記摘み片の袋上下方向の長さ寸法が５ｍｍ以上、前記易剥離接合部の袋上下方向の長さ寸法が５ｍｍ以上であると好適である。さらに、前記イージーピールテープは、前記摘み片よりも上部のイージーピール層の外面に非接着層を設けても良く、前記非接着層の下部を非接着状態で下方に延出し、前記摘み片の外側を覆うカバー片を形成することもできる。
【発明の効果】
【００１２】
本発明のチャック付き自立袋によれば、摘み片より上部側のイージーピールテープの熱接着層と長尺側の側面シートの熱接着層とをヒートシールする際に、シール位置がずれて摘み片の位置をヒートシールすることがあっても、非接着性もしくは難接着性の合成樹脂で形成した玉縁により、摘み片とイージーピールテープとが密着することがなく、摘み片とイージーピールテープとが接合してしまうことを防止できる。これにより、長尺側の側面シートの熱接着層とイージーピールテープの熱接着層とのヒートシールを、内容物の製造メーカーが行っても、長尺側の側面シートとイージーピールテープとの間に難剥離接合部を良好に形成することができると共に、易剥離接合部を良好に剥離させることができ、取出用開口部を簡単に形成することができる。また、このように、袋の開口側に充填用開口部を設け、内容物の製造メーカーで袋に内容物を充填した後に、充填用開口部をヒートシールすることができるので、底部に特殊な形状を備えた自立袋に適用することができ、特に、内容物を袋の開口側から充填しても、チャックに付着し難い、例えば、粒状やカプセル状の内容物を充填する袋に適している。さらに、消費者が、チャックより上部の位置を誤って鋏で切断したとしても、チャックによって内容物が漏洩することを防止できる。
【００１３】
また、前記一対の側面シートの袋開口側端部の段差を１０ｍｍ以上設けておくと、長尺側の側面シートの熱接着層とイージーピールテープの熱接着層とのヒートシールを良好に行え、また、摘み片の袋上下方向の長さ寸法を５ｍｍ以上としておくと、袋の開封時に摘み片を掴み易い。さらに、易剥離接合部の袋上下方向の長さ寸法を５ｍｍ以上としておくと、開封前の袋のシール性を保つことができる。
【００１４】
さらに、前記イージーピールテープの摘み片よりも上部のイージーピール層の外面に非接着層を設けたことにより、ヒートシールする部分を補強することができる。また、非接着層の下部を、前記イージーピール層の外面と非接着状態で延出してカバー片を形成することにより、袋の製造メーカーが袋を内容物の製造メーカーに卸す際や、内容物の製造メーカーで内容物の充填や充填用開口部のヒートシールを行う際に、カバー片で摘み片の外側を覆っておくことにより、摘み片とイージーピールテープとの間に塵芥等の異物が侵入することを防止できる。また、消費者がこの袋を開封する際には、長尺側の側面シートの上部側を外側に折り曲げてカバー片を持ち上げて、カバー片を摘み片とイージーピールテープとの間に挿入させることができ、内容物取出用開口部の形成やチャックの開閉を良好に行うことができる。
【図面の簡単な説明】
【００１５】
【図１】本発明の第１形態例を示す内容物充填前のチャック付き自立袋の断面図である。
【図２】同じく内容物充填前のチャック付き自立袋の正面図である。
【図３】同じくイージーピールテープと長尺側の側面シートとをヒートシールする時の説明図である。
【図４】同じくイージーピールテープと長尺側の側面シートとをヒートシールする時の説明図である。
【図５】同じくイージーピールテープと長尺側の側面シートとをヒートシールした後のチャック付き自立袋の説明図である。
【図６】本発明の第２形態例を示す内容物充填前のチャック付き自立袋の断面図である。
【図７】本発明の第３形態例を示すチャック付き自立袋の要部説明図である。
【図８】従来の内容物充填前のチャック付き自立袋の説明図である。
【図９】従来の内容物充填後のチャック付き自立袋の説明図である。
【図１０】従来のチャック付き袋の説明図である。
【発明を実施するための形態】
【００１６】
図１乃至図５は、本発明のチャック付き自立袋の第１形態例を示す図である。本形態例に示すチャック付き自立袋１は、底部にまちを備えた自立タイプの袋であって、長尺，短尺の一対の側面シート２，３と、側面シート２，３の下端部に設けられてまち付きの底部となる底面シート４と、一対の側面シート２，３の間の開口部側に介装されるイージーピールテープ５とを備えると共に、該イージーピールテープ５の下方で、一方の短尺側の側面シート２と他方の長尺側の側面シート３との間に設けられたチャック６を備えている。
【００１７】
前記側面シート２，３及び底面シート４は、表面側に非接着層を、裏面側に熱接着層をそれぞれ備えた複層合成樹脂フィルム（シート）で形成され、例えば表面側が融点の高いナイロンフィルムで、裏面側が融点の低いポリエチレンフィルムでそれぞれ形成されている。側面シート２，３は、チャック６よりも上方の袋開口側端部に１０ｍｍ以上の段差が設けられ、短尺側の側面シート２の上端側には、袋外側に向けて傾斜するとともに、袋上下方向に５ｍｍ以上の長さ寸法を有する摘み片２ａが形成される。また、摘み片２ａの上端部と、長尺側の側面シート３の上端部とには、袋内側に突出する玉縁２ｂ，３ａがそれぞれ形成されている。この玉縁２ｂ，３ａは、融点の高い非接着性の合成樹脂（例えば、ナイロン）や、側面シート２，３の熱接着層と同系で融点が高い難接着性樹脂（例えば、高密度ポリエチレンや中密度ポリエチレン）で形成することができる。また、玉縁２ｂ，３ａを熱接着層と同系で融点が高い難接着性樹脂で形成する場合は、側面シート２，３の熱接着層に押出し成形接着させれば良く、融点の高い非接着性の合成樹脂で形成す場合は、玉縁２ｂ，３ａを融点の高い非接着性の合成樹脂と側面シート２，３の熱接着層と同系樹脂との２層構造とし、熱接着層と同系樹脂側を側面シート２，３の熱接着層に接着させれば良い。さらに、側面シート２，３を内側に折り込み成形して、玉縁２ｂ，３ａを形成することもできる。
【００１８】
イージーピールテープ５は、ポリエチレンフィルム又は無延伸ポリプロピレンシート等で形成される熱接着層５ａと、ポリエチレンテレフタレートシート又はナイロンシート等で形成される中間層５ｂと、イージーピール層５ｃの３層から成る周知のテープで、熱接着層５ａとイージーピール層５ｃの２層から成るテープでも差し支えない。このイージーピールテープ５は、側面シート２，３の開口側に介装され、チャック６より上部側で、且つ、摘み片２ａより下部側の位置に下端部が、長尺側の側面シート３の上端部と同じ高さ位置に上端部がそれぞれ配置される。
【００１９】
図１に示すように、袋の製造メーカーにおいて、各シート２，３，４は、側面シート２，３の熱接着層の下端部と底面シート４の熱接着層の側縁とがヒートシールによりそれぞれ難剥離状態で接合され、側面シート２，３の熱接着層の側縁部同士がそれぞれ難剥離状態で接合されて袋状に形成されると共に、短尺側の側面シート２の熱接着層とイージーピールテープ５のイージーピール層５ｃの下方とを易剥離状態で接合し、袋上下方向に５ｍｍ以上の長さ寸法を有する易剥離接合部７が設けられる。一方、長尺側の側面シート３とイージーピールテープ５とは、内容物充填前は未接合の状態で、内容物充填用開口部８を形成している。チャック付き自立袋１は、この状態で粒状或いはカプセル状の菓子やサプリメント，錠剤等の製造メーカーに卸される。
【００２０】
内容物の製造メーカーで、チャック付き自立袋１に内容物９を充填する際には、チャック６を開け、長尺側の側面シート３とイージーピールテープ５との間の内容物充填用開口部８を拡げた状態で行われる。次いで、図３に示すように、イージーピールテープ５の熱接着層５ａの摘み片２ａよりも上方と、これに対向する長尺側の側面シート３の熱接着層とが、自動充填機のヒートシールバー１２とシールバー受け１３との作動によってヒートシールされて難剥離状態で接合され、内容物充填用開口部８を閉塞する難剥離接合部１０となることにより、内容物９を充填して封緘状態となったチャック付き自立袋１が形成される。この時、自動充填機の機種の違いや袋の位置がずれること等により、図４に示されるようにヒートシールバー１２とシールバー受け１３の位置が摘み片２ａの上部側に掛かってしまっても、摘み片２ａの上部に設けた玉縁２ｂにより、摘み片２ａとイージーピールテープ５とが密着することがなく、摘み片２ａとイージーピールテープ５とが接合してしまうことを防止でき、摘み片２ａの傾斜も確保される。
【００２１】
このように、開口部が易剥離接合部７と難剥離接合部１０とによって封緘された袋を消費者が開口する際には、側面シート３の上端に形成されている玉縁３ａの近傍と摘み片２ａの上端に形成されている玉縁２ｂの近傍とを掴み、両側面シート２，３を引き離すと、易剥離接合部７にて接合されたイージーピールテープ５と短尺側の側面シート２とが剥離し、イージーピールテープ５と側面シート２との間に内容物取出用開口部が形成され、該内容物取出用開口部から内容物９を取り出すことができる。この時、イージーピールテープ５と長尺側の側面シート３とは難剥離接合部１０によって完全に接合された状態になっているので、イージーピールテープ５と長尺側の側面シート３とが剥離することはない。内容物取出用開口部から必要な分量の内容物を取り出した後は、チャック６によって内容物取出用開口部を開閉可能な状態で密封することができる。
【００２２】
上述のように形成された本形態例のチャック付き自立袋１によれば、内容物の製造メーカーで袋に内容物９を充填した後に、難剥離接合部１０を良好に形成することができ、特に、内容物９を袋の開口側から充填しても、チャックに付着し難い粒状，カプセル状の内容物を充填する袋に適している。また、消費者が開封する際には、側面シート２の上部と側面シート３の上部とを掴んで開くだけで、易剥離接合部７が剥離して内容物取出用開口部が形成されることから、開封時にゴミが生じることはなく、また、開口端に玉縁２ｂ，３ａを設けているので、開口部の部分を掴み易くなることから、非力な子供や老人であっても容易に開封することができる。さらに、図５（Ａ）に示されるように、消費者が、チャックより上部の位置、例えば、切断線Ｃ２を誤って鋏で切断したとしても、図５（Ｂ）に示されるように、チャック６によって内容物９が漏洩することを防止できる。また、チャック６は側面シート２，３に直接取り付けられていることから、袋の外側からチャック６の部分を指で摘むだけで、チャック６を良好に閉じることができる。
【００２３】
図６及び図７は本発明の他の形態例を示すもので、第１形態例と同様の構成要素を示すものには、同一の符号を付して、その詳細な説明は省略する。
【００２４】
図６は、本発明の第２形態例を示し、本形態例のチャック付き自立袋２１は、イージーピールテープ５の摘み片よりも上部のイージーピール層５ｃの外面にポリエチレンテレフタレートシート又はナイロンシート或いは延伸ポリプロピレンフィルム等で形成される非接着層５ｄを設け、ヒートシールする部分を補強している。
【００２５】
図７は、本発明の第３形態例を示し、本形態例のチャック付き自立袋２２は、前記第２形態例の非接着層５ｄの下部を、イージーピールテープ５のイージーピール層５ｃの外面と非接着状態で延出し、摘み片２ａの外側を覆うカバー片５ｅを形成している。
【００２６】
このチャック付き自立袋２２では、袋の製造メーカーが袋を内容物の製造メーカーに卸す際に、図７（Ａ）に示されるように、摘み片２ａの外側をカバー片５ｅで覆っておくことにより、摘み片とイージーピールテープとの間に塵芥等の異物が侵入することを防止できる。さらに、内容物の製造メーカーでも、内容物の充填や内容物充填用開口部８のヒートシールを行う際に、カバー片５ｅで摘み片２ａの外側を覆っておくことにより、摘み片２ａとイージーピールテープ５との間に塵芥等の異物が侵入することを防止できる。
【００２７】
また、消費者がこの袋２２を開封する際には、図７（Ｂ）に示されるように、長尺側の側面シート３の上部側を外側に折り曲げて、カバー片５ｅを持ち上げ、図７（Ｃ）に示されるようにカバー片５を摘み片２ａとイージーピールテープ５との間に挿入させる。これにより、内容物取出用開口部の形成やチャック６の開閉を良好に行うことができる。
【００２８】
尚、本発明は上述の各形態例のように、側面シートを、ポリエチレンフィルムとナイロンフィルムを積層して形成したものに限らず、融点の異なる非接着層と熱接着層とを備えていれば良く、ポリプロピレンやポリエステルや塩化ビニルやビニロン等の樹脂を用いることもでき、アルミ箔を積層したものであっても良い。また、本発明は、底部に特殊な形状を備えた自立タイプの袋に用いると好適であるが、側面シートを折り返して袋底部を形成したり、袋底部をヒートシールして封止する通常のチャック付き袋にも適用することができる。
【符号の説明】
【００２９】
１…チャック付き自立袋、２，３…側面シート、２ａ…摘み片、２ｂ，３ａ…玉縁、４…底面シート、５…イージーピールテープ、５ａ…熱接着層、５ｂ…中間層、５ｃ…イージーピール層、５ｄ…非接着層、５ｅ…カバー片、６…チャック、７…易剥離接合部、８…内容物充填用開口部、９…内容物、１０…難剥離接合部、１２…ヒートシールバー、１３…シールバー受け、２１，２２…チャック付き自立袋
【図１】
2010274933.tif 000003
【図２】
2010274933.tif 000004
【図３】
2010274933.tif 000005
【図４】
2010274933.tif 000006
【図５】
2010274933.tif 000007
【図６】
2010274933.tif 000008
【図７】
2010274933.tif 000009
【図８】
2010274933.tif 000010
【図９】
2010274933.tif 000011
【図１０】
2010274933.tif 000012